(57)【特許請求の範囲】
【請求項１】
帳票からの文字読み取り処理を実行する読み取り用端末と、この読み取り用端末にネットワーク接続され、前記文字読み取り処理によって得られた読み取り結果を含む中間ファイルデータを用いて前記読み取り結果の訂正処理を実行する複数の訂正用端末とを含み、帳票からの文字読み取り処理、その読み取り結果の訂正処理、および出力変換処理を同一の読み取り制御情報を用いて実行する文字読み取りシステムにおいて、
前記読み取り制御情報の更新に応じてその読み取り制御情報を世代別に管理する読み取り制御情報世代管理手段と、
前記読み取り用端末による前記文字読み取り処理を、前記読み取り制御情報世代管理手段によって管理されている最新世代の読み取り制御情報を用いて実行する手段と、
前記文字読み取り処理による読み取り結果を含む中間ファイルデータにその文字読み取り処理で使用した読み取り制御情報の世代を示す世代情報を付加する手段と、
前記読み取り用端末から前記ネットワークを介して送信される、前記世代情報が付加された前記中間ファイルデータを記憶する記憶部と、
前記各訂正用端末で前記読み取り結果の訂正処理または出力変換処理を実行するとき、前記記憶部に記憶されている処理対象の中間ファイルデータに付加されている世代情報を取得すると共に、前記取得した世代情報を用いて、前記処理対象の中間ファイルデータに含まれる読み取り結果の訂正処理または出力変換処理に使用する読み取り制御情報を選択する手段とを具備することを特徴とする文字読み取りシステム。
【請求項２】
帳票からの文字読み取り処理を実行する読み取り用端末と、この読み取り用端末にネットワーク接続され、前記文字読み取り処理によって得られた読み取り結果を含む中間ファイルデータを用いて前記読み取り結果の訂正処理を実行する複数の訂正用端末とを含み、帳票からの文字読み取り処理、その読み取り結果の訂正処理、および出力変換処理を同一の読み取り制御情報を用いて実行する文字読み取りシステムに適用される読み取り制御情報管理方法であって、
前記読み取り制御情報の更新に応じてその読み取り制御情報を世代別に管理するステップと、
前記読み取り用端末による前記文字読み取り処理を、前記読み取り制御情報世代管理手段によって管理されている最新世代の読み取り制御情報を用いて実行するステップと、
前記文字読み取り処理による読み取り結果を含む中間ファイルデータにその文字読み取り処理で使用した読み取り制御情報の世代を示す世代情報を付加するステップと、
前記世代情報が付加された前記中間ファイルデータを前記読み取り用端末から前記ネットワークを介して送信して、記憶部に格納するステップと、
前記各訂正用端末で前記読み取り結果の訂正処理または出力変換処理を実行するとき、前記記憶部に記憶されている処理対象の中間ファイルデータに付加されている世代情報を取得すると共に、前記取得した世代情報を用いて、前記処理対象の中間ファイルデータに含まれる読み取り結果の訂正処理または出力変換処理に使用する読み取り制御情報を選択するステップとを具備することを特徴とする読み取り制御情報管理方法。
【発明の詳細な説明】
【０００１】
【発明の属する技術分野】
本発明は帳票からの文字読み取り処理、その読み取り結果の訂正処理、および出力変換処理を同一の読み取り制御情報を用いて実行する文字読み取りシステムおよび同システムにおける読み取り制御情報管理方法に関する。
【０００２】
【従来の技術】
従来より、帳票から文字を読み取る文字読み取りシステム（ＯＣＲシステム）が知られている。このＯＣＲシステムは、帳票からの文字読み取り処理を行う読み取り処理、その読み取り結果を訂正する訂正処理、および読み取り結果（または訂正処理後の読み取り結果）を所定の出力フォーマットに変換して出力する出力変換処理から構成されている。これら読み取り処理、訂正処理、出力変換処理では、フォーマット制御（ＦＣ；Ｆｏｒｍａｔ  Ｃｏｎｔｒｏｌ）情報と称される読み取り制御情報（以下、ＦＣ情報と称する）が用いられる。
【０００３】
このＦＣ情報には、１）読み取り対象帳票のフォーマット定義情報、２）読み取り性能向上のための知識処理定義情報、３）読み取り結果のチェック・訂正のための画面定義を含む訂正用情報、４）読み取り結果の編集および出力ファイルのフォーマット変換のための出力定義情報、等が定義されている。
【０００４】
ＦＣ情報は、読み取り対象の帳票種の更新時や帳票内のフィールド構成の変更時のみならず、システムの性能アップのため、知識処理定義のバージョンアップ、チェック・訂正のための画面定義の変更、さらには出力ファイルフォーマットの変更などに合わせて更新されるが、文字読み取り処理と、訂正・出力変換処理との間の処理の整合性を維持するため、文字読み取り処理で使用するＦＣ情報と、訂正・出力変換処理で使用するＦＣ情報とは常に同一でなければならない。
【０００５】
したがって、ＦＣ情報の更新を行いたい場合でも、未だリジェクトエラー訂正などの訂正処理や、出力変換処理が完了されてない場合には、ＦＣ情報の更新作業を行うことはできない。よって、ＦＣ情報の更新時には、訂正・出力変換処理が完了するのまで、システムの運用を一旦停止することが必要とされた。
【０００６】
特に、複数台のワークステーションやパーソナルコンピュータをネットワーク接続し、１台（もしくは複数台）を文字読み取り処理専用の読み取り用端末として使用し、残りの複数台を訂正・出力変換専用の訂正用端末として使用するマルチコレクションシステムにおいては、全ての訂正用端末が訂正処理・出力変換処理の作業を完了し、未処理の読み取り結果データが無くなるまでは、ＦＣ情報の更新を行うことができず、これによって作業効率が著しく低下するという問題が生じる。
【０００７】
すなわち、マルチコレクションシステムでは、複数台の訂正用端末によって訂正・出力変換処理を並列的に実行することができると共に、読み取り用端末によって得られた読み取り結果をファイル（以下、中間ファイルと称する）として生成することにより、複数台の訂正用端末による訂正・出力変換処理と、読み取り用端末による読み取り処理とを非同期に実行することができるが、このマルチコレクションシステム環境下においても、文字読み取り処理で使用するＦＣ情報と、訂正・出力変換処理で使用するＦＣ情報とは常に同一でなければならない。よって、全ての訂正用端末が訂正処理および出力変換処理の作業を完了し、未処理の中間ファイルが無くなるまではＦＣ情報を更新することが出来ず、新たなＦＣ情報を用いた読み取り処理を開始することができない。これにより、読み取り処理の実行が中断されてしまい、マルチコレクションシステムの作業効率が著しく低下することになる。
【０００８】
【発明が解決しようとする課題】
上述のように、従来では、ＦＣ情報の更新を行いたい場合でも、未だリジェクトエラー訂正などの訂正処理や、出力変換処理が完了されてない場合には、ＦＣ情報の更新作業を行うことはできないので、ＦＣ情報の更新時には、訂正・出力変換処理が完了するまで、システムの運用が停止されてしまうという欠点があった。
【０００９】
本発明はこのような事情に鑑みてなされたものであり、リジェクトエラー訂正などの訂正処理や出力変換処理の完了を待たずに任意のタイミングで読み取り制御情報（ＦＣ情報）を更新できるようにし、システムの運用を停止することなくＦＣ情報のバージョンアップなどの処理を効率よく行うことができる文字読み取りシステムおよび同システムにおける読み取り制御情報管理方法を提供することを目的とする。
【００１０】
【課題を解決するための手段】
上述の課題を解決するため、本発明は、帳票からの文字読み取り処理を実行する読み取り用端末と、この読み取り用端末にネットワーク接続され、前記文字読み取り処理によって得られた読み取り結果を含む中間ファイルデータを用いて前記読み取り結果の訂正処理を実行する複数の訂正用端末とを含み、帳票からの文字読み取り処理、その読み取り結果の訂正処理、および出力変換処理を同一の読み取り制御情報を用いて実行する文字読み取りシステムにおいて、前記読み取り制御情報の更新に応じてその読み取り制御情報を世代別に管理する読み取り制御情報世代管理手段と、前記読み取り用端末による前記文字読み取り処理を、前記読み取り制御情報世代管理手段によって管理されている最新世代の読み取り制御情報を用いて実行する手段と、前記文字読み取り処理による読み取り結果を含む中間ファイルデータにその文字読み取り処理で使用した読み取り制御情報の世代を示す世代情報を付加する手段と、前記読み取り用端末から前記ネットワークを介して送信される、前記世代情報が付加された前記中間ファイルデータを記憶する記憶部と、前記各訂正用端末で前記読み取り結果の訂正処理または出力変換処理を実行するとき、前記記憶部に記憶されている処理対象の中間ファイルデータに付加されている世代情報を取得すると共に、前記取得した世代情報を用いて、前記処理対象の中間ファイルデータに含まれる読み取り結果の訂正処理または出力変換処理に使用する読み取り制御情報を選択する手段とを具備することを特徴とする。
【００１１】
この文字読み取りシステムにおいては、読み取り制御情報の世代管理が行われており、文字読み取り処理による読み取り結果データである中間ファイルデータを生成するときには、その文字読み取り処理で使用された読み取り制御情報の世代を示す世代情報が中間ファイルデータに付加される。したがって、読み取り結果の訂正処理または出力変換処理を実行するときは、中間ファイルデータに付加されている世代情報を用いて、訂正処理または出力変換処理に使用する読み取り制御情報を選択することが可能となるので、未だ訂正処理または出力変換処理が完了しておらず中間ファイルデータが残っている状態であっても、システムの運用を停止することなく読み取り制御情報の更新を行うことができるようになり、最新の読み取り制御情報を用いた文字読み取り処理をすぐに開始できる。よって、訂正処理や出力変換処理の完了を待たずに任意のタイミングでＦＣ情報を更新できるようになり、システムの運用を停止することなくＦＣ情報のバージョンアップなどの処理を効率よく行うことができる。
【００１３】
このように、マルチコレクションシステム環境に前述のような読み取り制御情報の世代管理を適用することにより、そのシステム性能の向上を図ることが可能となる。
【００１４】
【発明の実施の形態】
以下、図面を参照して本発明の実施形態を説明する。
図１には、本発明の一実施形態に係る文字読み取りシステム（以下、ＯＣＲシステムと称する）の基本構成が示されている。このＯＣＲシステムは各種伝票などの帳票から文字を読み取り、その読み取り結果のチェック・訂正を行った後に所定の出力ファイル形式に変換してユーザアプリケーションに渡すためのものであり、図示のように、ＯＣＲ読み取りモジュール１１、リジェクトエラー訂正モジュール１２、出力変換モジュール１３、ＦＣ情報記憶部２１、中間ファイル記憶部２２、および出力ファイル記憶部２３から構成されている。ＯＣＲ読み取りモジュール１１、リジェクトエラー訂正モジュール１２、出力変換モジュール１３はそれぞれソフトウェアによって実現されている。
【００１５】
ＦＣ情報記憶部２１には複数世代のＦＣ情報が記憶・管理されている。これら複数世代のＦＣ情報それぞれには、それに対応するＦＣ世代番号が対応付けられている。各ＦＣ情報は、前述したように、帳票読み取り、訂正、出力変換のための定義情報であり、１）読み取り対象帳票のフォーマット定義情報、２）読み取り性能向上のための知識処理定義情報、３）読み取り結果のチェック・訂正のための画面定義を含む訂正用情報、４）読み取り結果の編集および出力ファイルのフォーマット変換のための出力定義情報、等から構成されている。ＦＣ情報は、読み取り対象の帳票種の更新時や帳票内のフィールド御構成の変更時のみならず、システムの性能アップのため、知識処理定義のバージョンアップ、チェック・訂正のための画面定義の変更、さらには出力ファイルフォーマットの変更などに合わせて更新される。
【００１６】
ＯＣＲ読み取りモジュール１１は、ＦＣ情報記憶部２１に記憶されているＦＣ情報に従って帳票から文字を読み取るためのソフトウェアモジュールであり、スキャナ等によって読み込まれた帳票イメージからフィールドおよび文字の切り出しを行い、そして各文字パターンを、良く知られたパターン解析、構造解析処理、知識処理などを用いた文字認識処理を得て文字コードに変換する。このＯＣＲ読み取りモジュール１１による読み取り処理では、常に最新世代のＦＣ情報が用いられる。そして、ＯＣＲ読み取りモジュール１１では、その読み取り結果データが、認識文字コード、認識不能の捨て文字（リジェクト文字）の発生位置を示すリジェクトパターンデータ、類似文字の候補を示す候補文字情報、さらには帳票全体のイメージ情報などを含む中間ファイルとして生成され、それが中間ファイル記憶部２２に記憶される。
【００１７】
この場合、中間ファイルには、ＯＣＲ読み取りモジュール１１が使用したＦＣ情報に対応する世代番号がＦＣ世代管理情報として付加される。
リジェクトエラー訂正モジュール１２は、ＦＣ情報記憶部２１に記憶されているＦＣ情報で規定された画面定義などに従って中間ファイルから訂正用画面を作成し、そしてその訂正用画面上で行われるユーザからの入力操作に従ってリジェクトエラー訂正などのエラー訂正処理を行う。訂正用画面上には、認識結果と帳票イメージとが対応して表示される。また、リジェクト文字に対応する位置には「？」などの記号が表示され、ユーザによって文字コードがキー入力されると、「？」の記号が入力文字コードに置き換えられる。
【００１８】
このリジェクトエラー訂正モジュール１２で使用するＦＣ情報の世代は、訂正処理対象の中間ファイルに付加されたＦＣ世代管理情報に従って選択される。
出力変換モジュール１３は、ＦＣ情報記憶部２１に記憶されているＦＣ情報で規定された出力ファイル形式に従って、リジェクトエラー訂正モジュール１２による訂正が反映された中間ファイル（エラー無しの場合は、訂正処理が行われてない中間ファイル）上の読み取り結果を出力ファイルに変換し、それをユーザアプリケーションに渡すための出力ファイル記憶部２３に格納する。この出力変換モジュール１３で使用するＦＣ情報の世代も、訂正処理対象の中間ファイルに付加されたＦＣ世代管理情報に従って選択される。
【００１９】
図２には、リジェクトエラー訂正モジュール１２および出力変換モジュール１３による訂正・出力変換処理で使用されるＦＣ情報と、中間ファイルに付加されたＦＣ世代管理情報との対応関係が示されている。
【００２０】
ここでは、中間ファイル＃１、＃２にはＦＣ世代番号＃１を示すＦＣ世代管理情報が付加されており、また中間ファイル＃３にはＦＣ世代番号＃２のＦＣ世代管理情報が、中間ファイル＃４、＃５にはＦＣ世代番号＃３のＦＣ世代管理情報が、中間ファイル＃６にはＦＣ世代番号＃４のＦＣ世代管理情報が付加されている場合が示されている。
【００２１】
この場合、中間ファイル＃１または＃２が訂正・出力変換処理対象の中間ファイルとしてリジェクトエラー訂正モジュール１２および出力変換モジュール１３によって選択された場合は、ＦＣ世代番号＃１のＦＣ情報が訂正・出力変換処理に用いられる。同様に、中間ファイル＃３が訂正・出力変換処理対象として選択された場合はＦＣ世代番号＃２のＦＣ情報が、中間ファイル＃４または＃５が選択された場合にはＦＣ世代番号＃３のＦＣ情報が、中間ファイル＃６が選択された場合にはＦＣ世代番号＃４のＦＣ情報が、それぞれ訂正・出力変換処理に用いられる。
【００２２】
次に、図３を参照して、ＦＣ情報世代管理の具体的な仕組みについて説明する。ここでは、ＦＣテーブル単位で世代管理を行う場合を例示する。
ＦＣテーブルは、例えば在庫管理業務、発注業務、納品業務といった帳票を用いた各データ入力処理業務（ＪＯＢ）毎に、それら各業務で使用される帳票種（ＩＤ）それぞれに対応したＦＣ情報を管理するためのものであり、図３（Ａ）のような階層型のディレクトリ構造でＦＣ情報記憶部２１に記憶されている。
【００２３】
このＦＣテーブル内の任意のＦＣ情報の更新が行われる度、旧世代のＦＣテーブルを記憶・管理するためのディレクトリが作成され、そこに今まで使用していたＦＣテーブルの内容がコピーされ、今まで使用していたＦＣテーブルは最新の内容に更新される。図３（Ｂ）に、ＦＣテーブルの世代管理構造の一例を示す。
【００２４】
図３（Ｂ）では、３世代のＦＣテーブルが記憶されており、最新世代のＦＣテーブルについては「ＦＣ  ＴＡＢＬＥ」というディレクトリに格納し、１世代前のＦＣテーブルは「ＦＣ  ＴＡＢＬＥ０１」というディレクトリに、また２世代前のＦＣテーブルは「ＦＣ  ＴＡＢＬＥ０２」というディレクトリに格納している。
【００２５】
前述のＦＣ世代番号として３世代の世代番号＃１、＃２、＃３を使用する場合には、最新世代を示す世代番号＃３が「ＦＣ  ＴＡＢＬＥ」というディレクトリに対応し、１世代前を示す世代番号＃２が「ＦＣ  ＴＡＢＬＥ０１」というディレクトリに対応し、２世代前を示す世代番号＃１が「ＦＣ  ＴＡＢＬＥ０２」というディレクトリに対応することになる。なお、ＦＣテーブル管理情報は、ＦＣテーブルの所在とその世代番号との対応関係を定義できるものであればどのようなものであってもよい。
【００２６】
このようにＦＣ情報をその更新に応じて世代別に管理しておき、中間ファイル作成時には使用したＦＣ情報の世代番号を中間ファイルに追加し、訂正・出力変換処理時には、中間ファイルに追加された世代番号を用いて使用するＦＣ情報を決定することにより、システムの運用を停止することなくＦＣ情報を更新することが可能となる。
【００２７】
図４には、本ＯＣＲシステムを用いたマルチコレクションシステムの構成例が示されている。
このマルチコレクションシステムは、前述したように、複数台のワークステーションやパーソナルコンピュータをネットワーク接続し、１台（もしくは複数台）を文字読み取り処理専用の読み取り用端末として使用し、残りの複数台を訂正・出力変換専用の訂正用端末として使用するシステムである。このマルチコレクションシステムには、読み取り用端末と訂正用端末とを営業所や事業所などの同一サイト内に配置するインハウス型のものと、読み取り用端末と訂正用端末とを異なるサイトに配置して、その間を公衆網や専用回線を用いて接続する遠隔システム型のものとがあるが、ここでは、遠隔システム型の構成について説明する。
【００２８】
読み取り処理を行うための読み取りサイトにおいては、図示のように読み取り端末１０１と、帳票読み取り用のスキャナおよび専用の文字認識装置から構成されるＯＣＲ装置１０２と、ＦＣ情報記憶部１０３が設けられる。読み取り端末１０１では、前述のＯＣＲ読み取りモジュール１１が実行される。このＯＣＲ読み取りモジュール１１により認識処理を全てソフトウェアで実行する場合には、ＯＣＲ装置１０２の代わりに、帳票読み取り用のスキャナのみを設ければよい。
【００２９】
読み取り端末１０１は、公衆網や専用回線から構成されるネットワーク２０１を介して、各訂正・出力サイトのサーバコンピュータ３０１に接続されている。
各訂正・出力サイトには、サーバコンピュータ３０１の他、ＦＣ情報記憶部３０２、中間ファイル記憶部３０３、サーバコンピュータ３０１にＬＡＮ経由で接続された複数台の訂正用端末（訂正クライアント）３０４が配置されている。各訂正用端末（訂正クライアント）３０４では、前述のリジェクトエラー訂正モジュール１２および出力変換モジュール１３が実行される。
【００３０】
このマルチコレクションシステムにおいては、新たな帳票種の追加時やシステムの性能アップのために読み取りサイトのＦＣ情報記憶部１０３の内容を更新する場合には、リモートメンテナンス処理が実行されて、各訂正・出力サイト内に配置されたＦＣ情報記憶部３０２の更新も合わせて実行される。ＦＣ情報記憶部１０３およびＦＣ情報記憶部３０２においては、図３で説明したように、ＦＣテーブルを単位として、複数世代のＦＣ情報が世代毎に管理されている。
【００３１】
読み取り端末１０１によって生成された中間ファイルは、ネットワーク２０１を介してサーバコンピュータ３０１に送られ、中間ファイル記憶部３０３に格納される。この場合、読み取り端末１０１から送信される中間ファイルには、読み取り処理で使用したＦＣ情報の世代を示すＦＣ世代管理情報が付加される。
【００３２】
各訂正クライアント３０４は、中間ファイル記憶部３０３からリジェクト訂正・出力変換対象の中間ファイルを選択し、その中間ファイルに付加されたＦＣ世代情報で指定されるＦＣ情報をＦＣ情報記憶部３０２から検索する。そして、そのＦＣ情報を用いて、訂正・出力変換処理を実行する。
【００３３】
なお、読み取りサイトから訂正・出力サイトへの中間ファイルの送信や訂正・出力サイト側のＦＣ情報の更新処理などは、読み取り端末１０１およびサーバコンピュータ３０１にネットワーク接続されたホストコンピュータ４０１経由で実行するようにしてもよい。また、このホストコンピュータ４０１によるリモートメンテナンス処理によって、読み取りサイトのＦＣ情報記憶部１０３の内容と各訂正・出力サイトのＦＣ情報記憶部３０２の内容の双方を、ネットワーク経由で更新することも可能である。さらに、各訂正クライアント３０４では訂正処理のみを行い、訂正処理された中間ファイルをホストコンピュータ４０１に送信し、そのホストコンピュータ４０１にて出力・変換処理を行うようにしても良い。
【００３４】
次に、図５のフローチャートを参照して、読み取り端末１０１上で実行されるＯＣＲ読み取り処理の手順について説明する。
読み取り端末１０１上のＯＣＲ読み取りモジュール１１は、まず、データ入力業務の種類を特定するためにＪＯＢ番号の選択を行う（ステップＳ１０１）、そして帳票の読み取りを開始する（ステップＳ１０２）。帳票にはその帳票種を示すＩＤ番号情報が記されており、ＯＣＲ読み取りモジュール１１は、ステップＳ１０２の読み取り処理結果からＩＤ番号を検出する（ステップＳ１０３）。この後、ＯＣＲ読み取りモジュール１１は、最新世代のＦＣテーブルをピックアップして（ステップＳ１０４）、そのテーブルから、ステップＳ１０１で選択されたＪＯＢ番号および検出したＩＤ番号に対応するＦＣ情報を取得する（ステップＳ１０５）。
【００３５】
そして、ＯＣＲ読み取りモジュール１１は、そのＦＣ情報に定義された読み取り用のフォーム定義や知識処理定義情報を用いて読み取り処理を行い（ステップＳ１０６）、認識文字コード、認識不能の捨て文字（リジェクト文字）の発生位置を示すリジェクトパターンデータ、類似文字の候補を示す候補文字情報、さらには帳票全体のイメージ情報などを含む中間ファイルを生成する（ステップＳ１０７）。そして、ステップＳ１０６で使用したＦＣ情報の世代番号を示すＦＣ世代情報を中間ファイルに付加して出力する（ステップＳ１０８）。具体的には、中間ファイルの所定位置に、ＦＣ世代情報を埋め込めばよい。
【００３６】
次に、図６のフローチャートを参照して、各訂正クライアント３０４上で実行される訂正・出力変換処理の手順について説明する。
訂正クライアント３０４上のリジェクトエラー訂正モジュール１２および出力変換モジュール１３は、まず、訂正・出力変換処理対象の中間ファイルを選択し（ステップＳ２０１）、その選択した中間ファイルからＦＣ世代管理情報を取得する（ステップＳ２０３）。ついで、リジェクトエラー訂正モジュール１２および出力変換モジュール１３は、ＦＣ世代管理情報で指定される世代のＦＣ情報をＦＣ情報記憶部３０２から取り込み（ステップＳ２０３）、そのＦＣ情報の画面定義や出力フォーマットを用いて訂正処理や出力変換処理を実行する（ステップＳ２０４）。
【００３７】
このようにマルチコレクションシステム環境にＦＣ情報の世代管理を適用することにより、訂正処理または出力変換処理が完了しておらず中間ファイルが残っている状態であっても、システムの運用を停止することなくＦＣ情報の更新を行うことができるようになり、最新のＦＣ情報を用いた読み取り処理をすぐに開始することが可能となる。
【００３８】
なお、中間ファイルに付加するＦＣ世代管理情報としては、世代番号の他、使用したＦＣ情報の更新日時など情報を用いることもできる。この場合には、複数世代のＦＣ情報を更新日時情報に対応付けて記憶・管理しておき、中間ファイルに付加された更新日時情報を基に、訂正・出力変換処理で使用するＦＣ情報を検索すればよい。
【００３９】
また、ＦＣ情報の世代管理は、ＦＣテーブル単位のみならず、例えばＪＯＢ単位やＩＤ番号単位で行うことも可能である。
さらに、本実施形態のＯＣＲシステムを構成するＯＣＲ読み取りモジュール１１、リジェクトエラー訂正モジュール１２、出力変換モジュール１３はコンピュータプログラムとして実現できるので、これらを記録媒体を通じて通常のコンピュータに導入したり、あるいはネットワーク接続された複数のコンピュータにその役割に応じて選択的に導入するだけで、本実施形態と同様の効果を得ることが可能となる。
【００４０】
【発明の効果】
以上説明したように、本発明によれば、リジェクトエラー訂正などの訂正処理や出力変換処理の完了を待たずに任意のタイミングで読み取り制御情報（ＦＣ情報）を更新できるようになり、システムの運用を停止することなくＦＣ情報のバージョンアップなどの処理を効率よく行うことが可能となる。
【図面の簡単な説明】
【図１】本発明の一実施形態に係るＯＣＲシステムの基本構成を示すブロック図。
【図２】同実施形態のシステムで用いられる中間ファイルに付加されたＦＣ世代管理情報と訂正・出力変換処理で使用されるＦＣ情報との対応関係を示す図。
【図３】同実施形態のシステムにおけるＦＣ情報世代管理の具体的な仕組みを説明するための図。
【図４】同実施形態のシステムを適用したマルチコレクションシステムの構成例を示すブロック図。
【図５】同実施形態のシステムにおけるＯＣＲ読み取り処理の手順を示すフローチャート。
【図６】同実施形態のシステムにおける訂正・出力変換処理の手順を示すフローチャート。
【符号の説明】
１１…ＯＣＲ読み取りモジュール
１２…リジェクトエラー訂正モジュール
１３…出力変換モジュール
２１…ＦＣ情報記憶部
２２…中間ファイル記憶部
２３…出力ファイル記憶部
１０１…読み取り端末
１０２…ＯＣＲ装置
１０３…ＦＣ情報記憶部
２０１…ネットワーク
３０１…サーバコンピュータ
３０２…ＦＣ情報記憶部
３０３…中間ファイル記憶部
３０４…訂正クライアント
４０１…ホストコンピュータ
【図１】
0004018259.tif 000002
【図２】
0004018259.tif 000003
【図３】
0004018259.tif 000004
【図４】
0004018259.tif 000005
【図５】
0004018259.tif 000006
【図６】
0004018259.tif 000007